(57)【特許請求の範囲】
【請求項１】
陳列室内に商品を陳列して成るショーケースにおいて、
少なくとも動画を表示可能な表示手段と、音声を出力可能な音声発生手段と、前記陳列室内における人体動作を検出する人感センサとを備え、前記陳列室内における商品の移動に反応して前記表示手段と音声発生手段により、動画と音声による情報出力を行うことを特徴とするショーケース。
【請求項２】
周囲の人体動作を検出する人感センサを備え、顧客の接近に反応して前記情報出力を行うことを特徴とする請求項１のショーケース。
【請求項３】
前記情報出力の内容には、商品の広告、価格、料理或いは取扱方法等の商品に関する情報を含むことを特徴とする請求項１又は請求項２のショーケース。
【請求項４】
前記情報出力の内容には、陳列室内の温度や設定値などの制御に関する情報を含むことを特徴とする請求項１、請求項２又は請求項３のショーケース。
【請求項５】
前記情報出力の内容には所定の異常に関する情報を含むと共に、当該異常に関する情報を使用者にのみ判別可能な態様で出力することを特徴とする請求項１、請求項２、請求項３又は請求項４のショーケース。
【請求項６】
前記表示手段は表示領域にタッチスイッチを備え、当該タッチスイッチへの入力操作に応じて表示内容を切り替えることを特徴とする請求項１、請求項２、請求項３、請求項４又は請求項５のショーケース。
【発明の詳細な説明】
【０００１】
【発明の属する技術分野】
本発明は、コンビニエンスストアやスーパーマーケットなどに据え付けられ、陳列室に商品を陳列するショーケースに関するものである。
【０００２】
【従来の技術】
従来よりこの種ショーケースは、例えば特開平５−３０６８７５号公報に示されている。即ち、そこに示されたショーケースであるオープンショーケースは、コンビニエンスストアやスーパーマーケットなどの店舗に据え付けられており、断熱壁内に前面に開口する陳列室を構成し、この陳列室内に複数段の棚を架設して食料品や調理品、飲料などの商品を陳列している。
【０００３】
【発明が解決しようとする課題】
このようなショーケースでは如何に顧客の関心を引くか、即ち、顧客の商品に関する興味を如何に喚起するかが売上向上に大きく関わってくるため、従来より陳列室内における商品の配置や照明方法などに種々工夫を凝らしている。しかしながら、そのような方法だけでは顧客へのアピール効果にどうしても限界があるのが実状であった。
【０００４】
本発明は、係る従来の技術的課題を解決するために成されたものであり、顧客へのアピール能力を抜本的に改善したショーケースを提供するものである。
【０００５】
【課題を解決するための手段】
本発明のショーケースは、陳列室内に商品を陳列して成るものであって、少なくとも動画を表示可能な表示手段と、音声を出力可能な音声発生手段と、陳列室内における人体動作を検出する人感センサとを備え、陳列室内における商品の移動に反応して表示手段と音声発生手段により、動画と音声による情報出力を行うことを特徴とする。
【０００６】
本発明によれば、陳列室内に商品を陳列して成るショーケースにおいて、少なくとも動画を表示可能な表示手段と、音声を出力可能な音声発生手段とを設け、表示手段と音声発生手段により、動画と音声による情報出力を行うようにしたので、表示手段と音声発生手段を用いて、動画と音声により顧客に情報を出力することが可能となる。これにより、顧客の関心をより強く喚起し、陳列商品をアピールして売上向上を図ることができるようになるものである。
【０００７】
特に、陳列室内における人体動作を検出する人感センサにより、陳列室内における商品の移動に反応して情報出力を行うようにしたので、例えば顧客が陳列室から商品を取り出したことに反応して動画と音声により感謝の意を出力するなどの対応を行うことが可能となるものである。
【０００８】
請求項２の発明のショーケースは、上記において周囲の人体動作を検出する人感センサを備え、顧客の接近に反応して情報出力を行うことを特徴とする。
【０００９】
請求項２の発明によれば、上記に加えて周囲の人体動作を検出する人感センサを備え、顧客の接近に反応して情報出力を行うので、顧客がショーケースに近づいたことに反応して動画と音声による情報出力を行えるようになり、無駄の無い出力動作を実現できるようになるものである。
【００１０】
請求項３の発明のショーケースは、上記各発明において前記情報出力の内容には、商品の広告、価格、料理或いは取扱方法等の商品に関する情報を含むことを特徴とする。
【００１１】
請求項３の発明によれば、上記各発明に加えて情報出力の内容には、商品の広告、価格、料理或いは取扱方法等の商品に関する情報を含むので、商品の宣伝効果並びに顧客の購買意欲をより一層向上させることが可能となるものである。
【００１２】
請求項４の発明のショーケースは、上記各発明において情報出力の内容には、陳列室内の温度や設定値などの制御に関する情報を含むことを特徴とする。
【００１３】
請求項４の発明によれば、上記各発明に加えて情報出力の内容には、陳列室内の温度や設定値などの制御に関する情報を含むので、別途温度計なども不要となり、使用者の利便性とコストの削減も図れるようになるものである。
【００１４】
請求項５の発明のショーケースは、上記各発明において情報出力の内容には所定の異常に関する情報を含むと共に、当該異常に関する情報を使用者にのみ判別可能な態様で出力することを特徴とする。
【００１５】
請求項５の発明によれば、上記各発明に加えて情報出力の内容には所定の異常に関する情報を含むので、ショーケースに発生した異常をいち早く使用者に報知することが可能となると共に、格別な警報装置も不要となる。この場合、当該異常に関する情報は使用者にのみ判別可能な態様で出力するので、顧客に無用な不安感を与える危険性も無くなるものである。
【００１６】
請求項６の発明のショーケースは、上記各発明において表示手段は表示領域にタッチスイッチを備え、当該タッチスイッチへの入力操作に応じて表示内容を切り替えることを特徴とする。
【００１７】
請求項６の発明によれば、上記各発明に加えて表示手段は表示領域にタッチスイッチを備え、当該タッチスイッチへの入力操作に応じて表示内容を切り替えるようにしたので、顧客や使用者のタッチスイッチへの入力操作にて前述の如き商品に関する情報や制御に関する情報内容を切り替えて表示させることができるようになり、出力可能な情報量の増大を図り、より一層の売上向上と利便性の改善を図ることが可能となるものである。
【００１８】
【発明の実施の形態】
以下、図面に基づき本発明の実施の形態を詳述する。図１は本発明を適用したショーケースの実施例としてのオープンショーケース１の正面図、図２はオープンショーケース１の側面図、図３はオープンショーケース１の背面図、図４は後パネル２を外した状態のオープンショーケース１の背面図、図５はオープンショーケース１の縦断側面図をそれぞれ示している。
【００１９】
オープンショーケース１は、例えばコンビニエンスストアのレジカウンタＣ（図１５）上に載せて設置される卓上オープンショーケースであり、底部のユニットベース３上に取り付けられた断熱壁４と、この断熱壁４の上側に取り付けられた硬質樹脂製の底板６と、ユニットベース３の左右に立設された側板７、７と、これら側板７、７の上端間に架設された天板８と、これら底板６、側板７、７及び天板８の後縁で囲繞される後面の開口９を開閉自在に閉塞する扉１１などから構成され、これら扉１１、天板８、側板７、７及び底板６で囲繞される空間を前面に開口（１２）した陳列室１３としている。そして、前記断熱壁４の下側のユニットベース３内空間を機械室１４としている。また、１６はユニットベース３の左右に取り付けられた補強用のアングルである。
【００２０】
前記断熱壁４は前部が低く後部が高い階段形状を呈しており、それによって前部に低位部４Ａが、後部に高位部４Ｂが構成されている。この低位部４Ａは後方に低く緩やかに傾斜しており、高位部４Ｂは前方に低く緩やかに傾斜している。また、これら高位部４Ｂと低位部４Ａを結ぶ縦壁部４Ｃは上部が少許後退した傾斜壁とされている。
【００２１】
そして、底板６は係る断熱壁４の低位部４Ａ、高位部４Ｂ及び縦壁部４Ｃと間隔を存して当該断熱壁４及びユニットベース３に被さるように取り付けられており、これによって同様の前部の低位部６Ａ、後部の高位部６Ｂ及びそれらの間の縦壁部６Ｃとが構成されている。そして、係る底板６と断熱壁４間に前下部から後上部に渡る冷却室１７が構成され、高位部４Ｂ上の冷却室１７内に冷却装置Ｒの冷凍サイクルを構成する冷却器１８が横設されると共に、縦壁部４Ｃの前側中央の冷却室１７内に送風機１９が設けられている。
【００２２】
また、冷却室１７内には冷却器１８の上面から縦壁部６Ｃの上部に渡る冷却器仕切板２１が取り付けられており、この冷却器仕切板２１と底板６間には間隔が形成されている。底板６の縦壁部６Ｃの上端には商品落下防止用のガード６Ｄが一体に立設されており、その下側には下部吐出口２２が形成されている。そして、前記冷却器仕切板２１はこの下部吐出口２２の下縁に連続し、これによって、冷却器仕切板２１と底板６間に、冷却器１８の後方から下部吐出口２２に渡る下部吐出ダクト２３が構成されている。尚、２４は送風機１９の周囲に取り付けられたファンケースである。
【００２３】
更に、底板６の縦壁部６Ｃも上部が少許後退した傾斜壁とされているが、その前面には下部吐出口２２を隠蔽する吐出ガイド２６が取り付けられ、下方に開放しており、また、下部吐出口２２の下方には突起２７が一体に形成されている。底板６の低位部６Ａも後方に緩やかに低く傾斜しているが、その前部は斜め前下方に屈曲され、そこに吸込口２９が形成されている（図６）。そして、この吸込口２９の前側には表示装置３１が立設され、陳列室１３の開口１２の下縁に位置している。
【００２４】
この表示装置３１は、中央に表示手段としてのＬＣＤから成るディスプレイ１０８と、左右に実開平５−４３４５８号公報に示される如き構造の平面蛍光ランプ１１３、１１３と、ディスプレイ１０８に隣接して音声発生手段としてのスピーカ１１１を備えている。ディスプレイ１０８は例えば横１５ｃｍ、縦１０ｃｍ程の表示領域を有して前斜め上方に指向しており、動画を表示可能とされている。また、ディスプレイ１０８の表示領域表面には、静電容量式のタッチスイッチ１０６が取り付けられている。
【００２５】
更に、平面蛍光ランプ１１３、１１３は前後方向に光を照射する。この平面蛍光ランプ１１３、１１３の前面には所定の広告表示を施してもよい。また、断熱壁４の前端部には赤外線式の外部人感センサ１０３が取り付けられている。この外部人感センサ１０３はオープンショーケース１周囲（主に前方の所定角度の範囲）の人体動作に反応して出力を発生するものである。
【００２６】
また、底板６の高位部６Ｂも後方に高くなるよう緩やかに傾斜しているが、その後端部は階段状に降下しており、冷却器１８の後側に位置する後壁部３３には連通孔３２が形成されている。尚、この連通孔３２が形成された底板６の後壁部３３は上部が前側となる傾斜面とされている。
【００２７】
一方、扉１１は硬質樹脂製の外面板３６と内面板３７間に断熱材３８を装填して構成され、例えば後から見て右側の上下をヒンジ３９にて天板８と底板６に回動自在に枢支されている。また、断熱材３８と内面板３７間には間隔が構成され、そこに上下に渡る後部ダクト４１が形成されており、この後部ダクト４１の上端と下端に位置する内面板３７の上面３７Ａ、下面３７Ｂには連通孔４２、４３がそれぞれ形成されている。そして、下側の連通孔４３は扉１１を閉じたときに底板６の連通孔３２に合致する。
【００２８】
この場合、連通孔４３周囲の内面板３７の下面３７Ｂは、上部が前側となる傾斜面とされ、扉１１を閉じたときに底板６の後壁部３３に密接する形状とされている。これにより、連通孔３２と４３は略キッチリと合致することになると共に、扉１１の開閉にも支障が生じなくなる（図７）。尚、４７は内面板３７の周囲に取り付けられたガスケットである。
【００２９】
他方、天板８の内側にも断熱材４８が取り付けられており、この断熱材４８の下側には間隔を存して内面板４９が取り付けられ、この内面板４９と断熱材４８間に天部ダクト５１を構成している。内面板４９の後部は降下した後、上方向に折り返された形状を呈しており、この天部ダクト５１の後下端に位置する内面板４９の後下面４９Ａには連通孔５３が形成されている。そして、扉１１の上側の連通孔４２は扉１１を閉じたときに内面板４９の連通孔５３に合致する。
【００３０】
この場合、連通孔５３周囲の内面板４９の後下面４９Ａは、後部が上側となる傾斜面とされ、扉１１を閉じたときに扉１１の上面３７Ａに密接する形状とされている。これにより、連通孔４２と５３は略キッチリと合致することになると共に、扉１１の開閉にも支障が生じなくなる（図８）。尚、ガスケット４７は扉１１で後面の開口９を閉じた状態で天板８、底板６及び側板７、７に密着してシールする。
【００３１】
また、天部ダクト５１の前端は前下方に向けて開放し、そこに上部吐出口６１が形成されている。これにより、扉１１を閉じた状態では、下部の吸込口２９から冷却室１７に至り、冷却室１７から後部ダクト４１及び天部ダクト５１に渡って上部吐出口６１に至る一連の冷気循環ダクトが構成されることになる。
【００３２】
更に、天板８の内側にはＤＶＤドライバ（ＤＶＤプレーヤ）１０１が配設されている。このＤＶＤドライバ１０１は所定の動画データ並びに音声データが書き込まれたＤＶＤを再生する機能を有するものであり、その出入口は扉１１の上側の天板８後面に配置されている。また、その右側にはＤＶＤドライバ１０１の再生／停止ボタン１１４とエジェクトボタン（ＤＶＤの取り出し用）１１６が配設されている。そして、天板８の断熱材４８の前端下面には赤外線式の内部人感センサ１０４が取り付けられている。この内部人感センサ１０４は陳列室１３内の顧客の手指の移動（人体動作）、商品の移動に反応して出力を発生するものである。
【００３３】
次に、機械室１４内の構成を説明する。ユニットベース３の前面及び左右側面にはスリット状の排気口３Ａが複数段形成されており、後面は開口されている。そして、この開口を前記後パネル２にて開閉自在に閉塞している。
【００３４】
係るユニットベース３内に構成された機械室１４内には、前記冷却器１８と共に冷却装置Ｒの冷凍サイクルを構成する圧縮機６３、凝縮器６４、キャピラリチューブ（減圧装置）６６が設置され、更に、制御基板などを収納する電装箱６７や蒸発皿６８、凝縮器用送風機６９なども設置されている。
【００３５】
この場合、図９に示す如く圧縮機６３は機械室１４内の向かって右奥部に設置されており、凝縮器６４は向かって左奥部に設置され、凝縮器用送風機６９はその前側に対向して設けられている。尚、６３Ｄは圧縮機６３の吐出配管、６３Ｓは吸込配管である。前述の如く断熱壁４は前部に低位部４Ａを、また、後部に高位部４Ｂを備えているので、機械室１４の高さは前部が低く、後部が高い寸法となる。従って、この高さの高い部分を利用して寸法の嵩む圧縮機６３と凝縮器６４が並設されている。
【００３６】
また、凝縮器６４と凝縮器用送風機６９は略門型の取付板７２によってユニットベース３の底面から浮かせて取り付けられており、蒸発皿６８はこれら凝縮器６４と凝縮器用送風機６９の下側に後面の開口から挿脱自在に挿入されている。尚、７３は蒸発皿６８内に収納された蒸発板であり、吸水性の部材から構成され、後述するドレン水の蒸発を促進させるものである。
【００３７】
更に、後パネル２の凝縮器６４に対応する部分（後から見て右側）にはフィルタ７４が取り付けられた吸気口２Ａが形成されている。また、前記送風機１９を駆動するモータ１９Ｍは断熱壁４の縦壁部４Ｃの後側の機械室１４内に取り付けられ、圧縮機６３と凝縮器６４の間に配置されている。そして、モータ１９Ｍの回転軸は縦壁部４Ｃを貫通して送風機１９に連結されている。
【００３８】
更にまた、断熱壁４の高位部４Ｂの前部向かって左側には排水口７６が形成されており、この排水口７６からはドレンホース７７が断熱壁４を貫通して垂下し、その下端は蒸発皿６８上に開口されている。冷却器１８から滴下するドレン水（除霜水や露）は高位部４Ｂ上を伝って流下し、排水口７６に流入する。そして、排水口７６からドレンホース７７に流入し、蒸発皿６８内に排出されるものである。
【００３９】
このように、圧縮機６３、凝縮器６４、凝縮器用送風機６９、蒸発皿６８、電装箱６７、モータ１９Ｍなどを配置しているので、狭い機械室１４内に支障無く整理して各機器を設置することができる。
【００４０】
次に、図１０〜図１４を参照して側板７の構造を説明する。この場合、図１２は向かって左側の側板７を示し、それ以外は右側の側板７を示している。尚、左右の側板７は左右対称形状で基本的には同一の構造である。側板７は上下方向の補強板８１と、透明な硬質合成樹脂製の外側板８２及び内側板８３とから構成されている。
【００４１】
前記外側板８２及び内側板８３の下縁はユニットベース３の上面形状に略合致しており、前面は天板８から前下方のユニットベース３前部に向かって緩やかに湾曲しながら降下する形状を呈し、それによって陳列室１３の側面をカバーする。そして、補強板８１はユニットベース３の両側後部の切欠３Ｂを貫通して機械室１４内に入り、ユニットベース３及び又はアングル１６後部に螺子止めされると共に、補強板８１、８１の上端間に天板８は連結される。
【００４２】
この場合、外側板８２と内側板８３はそれらの後部で補強板８１を挟むかたちで相互に重合され、周縁部では相互に固着されると共に、補強板８１には螺子止めされる。このとき、外側板８２と内側板８３間には空気層Ｇが形成され、断熱性を向上させている。
【００４３】
また、外側板８２及び内側板８３の補強板８１に被さる部分には、上下に渡って外側に張り出した張出部８２Ａ、８３Ａがそれぞれ形成されており、外側板８２の張出部８２Ａと補強板８１間には上下に渡る排気ダクト８６が形成される。この排気ダクト８６の下端は機械室１４内に連通しており、上端は天板８が被さって閉塞されている。また、排気ダクト８６の前面となる張出部８２Ａの前面８２Ｂには上下に渡って複数の排気吐出口８７・・・が穿設されている。
【００４４】
尚、内側板８３には空気層Ｇ内の曇りを防止するためのアスピレータ８８が数カ所穿設されている。また、天板８を取り付ける前の補強板８１と外側板８２間の排気ダクト８６は図１０に示す如く上方に開放しているので、そこから張出部８２Ａと補強板８１間に着色した短冊状の板や広告表示を施した短冊状パネルを挿入することによって外観や販売効果の向上を図ることが可能となる。
【００４５】
また、内側板８３の張出部８３Ａには図１２に示す如く前下方に少許傾斜した棚受け８９・・・が実施例では上下に四段一体に形成されている。この棚受け８９・・・は対向する側板７方向及び後方に開放しており、後面の開口９から透明硬質樹脂製の棚９１を差し込む。これにより、図５に示す如く棚９１が陳列室１３内に架設されている。
【００４６】
次に、図１６はオープンショーケース１の電気回路のブロック図を示している。１００は汎用マイクロコンピュータ（ＣＰＵ）であり、マイクロコンピュータ１００には前記ＤＶＤドライバ１０１、外部人感センサ１０３、内部人感センサ１０４、タッチスイッチ１０６の出力が入力される。１０２は温度センサであり、陳列室１３内の温度或いは前記ダクト内を流通する冷気の温度を検出し、マイクロコンピュータ１００に出力するものである。
【００４７】
マイクロコンピュータ１００の出力には前記圧縮機６３、送風機１９のモータ１９Ｍ、凝縮器用送風機６９（のモータ）が接続される。また、前記表示装置３１のディスプレイ１０８もＬＣＤドライバ１０７を介してマイクロコンピュータ１００に接続されると共に、スピーカ１１１もドライバ１０９を介してマイクロコンピュータ１００に接続され、平面蛍光ランプ１１３もドライバ１１２を介してマイクロコンピュータ１００に接続されている。
【００４８】
以上の構成のオープンショーケース１は図１５に示す如くコンビニエンスストアのレジカウンタＣ上に載置される。そして、陳列室１３内にはドリンク剤や缶飲料などの商品Ｖを収納し、陳列する。この場合、底板６の縦壁部６Ｃ前側の低位部６Ａ上には前面の開口１２から図５の如く商品Ｖを並べる。これにより、低位部６Ａ上は最下段の陳列面となる。このとき、低位部６Ａは後方に少許低く傾斜しているので、商品Ｖは前側に倒れること無く後側の突起２７や吐出ガイド２６に寄りかかるかたちとなる。
【００４９】
一方、中段（棚９１を架設しない場合には最上段となる）の陳列面となる底板６の高位部６Ｂや最上段の陳列面となる棚９１上には後面の扉１１を開いて開口９から商品Ｖを収納する。このとき、高位部６Ｂや棚９１は前側に低く少許傾斜しているので、商品Ｖは後方から順次円滑に収納できる。また、高位部６Ｂや棚９１は前部が低くなっていることから顧客は商品Ｖを見やすくなると共に、顧客が最前列の商品Ｖを取り出した場合には自動的にその後の商品Ｖが最前列に移動するようになる。
【００５０】
そして、電源を投入するとマイクロコンピュータ１００は温度センサ１０２の出力に基づき、圧縮機６３及びモータ１９Ｍ、６９の運転を開始する。また、平面蛍光ランプ１１３を点灯させて前方に前述の広告文字などを浮き上がらせ、且つ、後方の陳列室１３内を照明する。圧縮機６３、送風機１９（のモータ１９Ｍ）、凝縮器用送風機６９が運転されると、圧縮機６３の吐出配管６３Ｄから吐出された高温高圧のガス冷媒は凝縮器６４に流入し、そこで凝縮器用送風機６９によって通風される外気によって凝縮液化される。凝縮された液冷媒はキャピラリチューブ６６で減圧された後、冷却器１８に流入して蒸発する。
【００５１】
このときに冷却室１７内の空気から熱を奪って冷却効果を発揮する。冷却器１８から出た冷媒は吸込配管６３Ｓから圧縮機６３に吸い込まれ、再び圧縮される。そして、送風機１９が運転されると、図５〜図８に矢印で示す如く、吸込口２９側から空気を吸引して冷却器１８方向に吐出する。前述の如く冷却器１８と熱交換して冷却された冷却室１７内の冷気は、連通孔３２から出て連通孔４３から後部ダクト４１内に入る。そして、後部ダクト４１内を上昇し、連通孔４２、５３を経て天部ダクト５１に入って前方に移動した後、吐出口６１から陳列室１３の前面開口１２に向けて吐出される。
【００５２】
吐出口６１から吐出された冷気は開口１２にエアーカーテンを形成しながら吸込口２９に向かい、表示装置３１に案内されて送風機１９の吸引力により吸込口２９に吸い込まれる。そして、エアーカーテンの一部が陳列室１３内に循環されて陳列室１３内は所定温度に冷却される。また、冷却器１８から出た冷気の一部は下部吐出ダクト２３に入り、そこを前方に移動して下部吐出口２２から縦壁部６Ｃ前方に吐出される。
【００５３】
吐出口６１からの距離が遠くなる最下段の陳列面の低位部６Ａ上は冷却効果が低下し勝ちとなるが、前述の如く下部吐出口２２から直接冷気を供給するため、係る冷却不足は解消される。また、下部吐出口２２には吐出ガイド２６が設けられ、その下方には突起２７が形成されているので、下部吐出口２２からの冷気吐出や冷気循環が低位部６Ａ上の商品Ｖで阻害されることも無い。
【００５４】
ここで、オープンショーケース１のユニットベース３の底面、即ち設置面から天板８の上面までの高さ寸法Ｌ１は７００ｍｍ〜７５０ｍｍ（実施例では７１５ｍｍ）に設定され、最下段の陳列面（低位部６Ａ）までの高さ寸法Ｌ２は１００ｍｍ以上２００ｍｍ以下の範囲（実施例では１４９ｍｍ）に設定されている。また、設置面から表示装置３１上端までの高さ寸法Ｌ３は２００ｍｍ〜２１０ｍｍ（実施例では２０５ｍｍ）に設定され、設置面から中段の陳列面（高位部６Ｂ）までの高さ寸法Ｌ４は３００ｍｍ以上４００ｍｍ以下の範囲（実施例では３０４ｍｍ）に設定されている。
【００５５】
更に、設置面から最上段の陳列面（棚９１）までの高さ寸法Ｌ５は４００ｍｍ以上７００ｍｍ以下の範囲（実施例では４８９ｍｍ）に設定され、設置面から天板８前端までの高さ寸法Ｌ６は６５０ｍｍ〜７００ｍｍ（実施例では６６８ｍｍ）に設定されている。また、オープンショーケース１の前後寸法Ｌ７は４５０ｍｍ以上５５０ｍｍ以下（実施例では４９０ｍｍ）に設定されている。
【００５６】
ここで、コンビニエンスストアに設けられるレジカウンタＣの高さは通常８００ｍｍ〜１０００ｍｍであり、その奥行き５５０ｍｍ程である。従って、このオープンショーケース１によれば、安定してレジカウンタＣ上に設置し、陳列室１３内において商品Ｖを冷却しながら陳列することができるようになる。これにより、特にレジカウンタＣの近傍で販売したいドリンク剤や缶飲料などの商品Ｖの購買意欲を促進し、売上向上に寄与することが可能となる。
【００５７】
また、オープンショーケース１をレジカウンタＣ上に設置した場合、床から最下段の陳列面（低位部６Ａ）までの高さは９００ｍｍ〜１２００ｍｍの範囲の高さとなる。これにより、最下段の陳列面（低位部６Ａ）の高さは顧客の略腰から胸にかけての範囲となり、最下段の商品Ｖの視認性が向上すると共に、取り出しやすくなる。
【００５８】
更に、中段の陳列面（高位部６Ｂ）から最上段の陳列面（棚９１。棚９１を架設しない場合には高位部６Ｂとなる）の高さは設置面から３００ｍｍ以上７００ｍｍ以下の範囲となるので、同様にオープンショーケース１をレジカウンタＣ上に設置した場合、床から最上段の陳列面（棚９１或いは高位部６Ｂ）までの高さは１１００ｍｍ〜１７００ｍｍの範囲の高さとなる。これにより、最上段の陳列面の高さは顧客の略腹から顔にかけての範囲となり、最上段の商品Ｖの視認性も向上すると共に、取り出しやすくなる。
【００５９】
また、前述の如く断熱壁４の階段形状によって機械室１４の高さは前部が低く後部が高くなるよう構成されているので、最下段の陳列面（低位部６Ａ）を低く設定しながら、圧縮機６３や凝縮器６４などの寸法の嵩む機器を機械室１４内後部に据え付けることが可能となる。
【００６０】
他方、凝縮器用送風機６９が運転されると、後パネル２の吸気口２Ａから外気が吸引され、凝縮器６４に通風した後、前方の蒸発皿６８に吹き付けられる。これによって、蒸発皿６８内のドレン水は蒸発される。また、凝縮器６４を空冷して温度上昇した暖気や圧縮機６３から生じる暖気は、一部はユニットベース３周囲の排気口３Ａから外部に流出するが、残りはユニットベース３の両側後部の切欠３Ｂ部分に至り、残りのうちの一部は当該切欠３Ｂから外部に流出すると共に、残りのうちのその他は側板７、７の排気ダクト８６内に流入する（図１０）。
【００６１】
切欠３Ｂから流出した暖気は側板７下部の外側板８２外面に流れて吸込口２９付近で結露しやすい部分を暖め、結露を防止する。また、排気ダクト８６内に流入した暖気は、図１０に示す如くそこを上昇してやがて前面の排気吐出口８７・・・から前方の外側板８２外面に向けて流出する。これにより、陳列室１３内の温度によって結露し易い外側板８２の外面を暖め、結露を防止若しくは解消することができるようになる。
【００６２】
ここで、排気ダクト８６の上端は天板８により閉塞されているので、排気ダクト８６上部の圧力（静圧）は上昇し、それにより、上方の排気吐出口８７程、流出する暖気量は多くなる。従って、吐出口６１の近傍で最も結露しやすくなる外側板８２外面上部に暖気を優先的に供給し、結露を効果的に解消することが可能となる。
【００６３】
次に、マイクロコンピュータ１００による表示装置３１のディスプレイ１０８、スピーカ１１１関連の制御動作について説明する。ＤＶＤドライバ１０１の出入口に所定のＤＶＤを挿入し、再生／停止ボタン１１４を押すと、ＤＶＤドライバ１０１は、挿入されたＤＶＤの再生可能状態となる。このＤＶＤには商品Ｖの宣伝・広告（コマーシャル）、取扱方法や料理方法、利用する方法、価格などの商品に関する情報が動画と音声によって書き込まれている。
【００６４】
マイクロコンピュータ１００は、外部人感センサ１０３の出力によりオープンショーケース１に顧客が接近したことを検知すると、それに反応してＤＶＤドライバ１０１によるＤＶＤの再生を開始する。そして、ＤＶＤドライバ１０１にて再生された動画をＬＣＤドライバ１０７によりディスプレイ１０８に表示すると共に、音声はドライバ１０９によりスピーカ１１１から出力する。
【００６５】
また、マイクロコンピュータ１００は温度センサ１０２の出力に基づき、陳列室１３内の温度をディスプレイ１０８の下隅部等の動画表示に邪魔とならない箇所に表示すると共に、同時にマイクロコンピュータ１００に設定されている陳列室１０２内の設定温度も表示する。
【００６６】
更に、マイクロコンピュータ１００はディスプレイ１０８の上端部などに所定の切り替えボタンを表示する。そして、そこを顧客や使用者が指で触れると、タッチスイッチ１０６によってそれを検知し、表示している動画の内容を切り替える。これにより、料理方法などを複数のページで切り替え表示することができるようになる。また、この切り替えボタンにより上記陳列室１３内の温度表示と設定温度表示の切換を行うようにしても良い。
【００６７】
また、マイクロコンピュータ１００は、例えば顧客が商品Ｖを陳列室１３内から取り出すと、このときの手指や商品Ｖの移動を内部人感センサ１０４により検知して、ディスプレイ１０８に例えば「ありがとうございます。」の表示（文字若しくは文字と動画像）を行い、スピーカ１１１からも同様の音声を出力する。
【００６８】
尚、顧客がオープンショーケース１から離間すれば、マイクロコンピュータ１００は外部人感センサ１０３によりそれを検知してＤＶＤドライバ１０１によるＤＶＤの再生を停止し、ディスプレイ１０８の表示並びにスピーカ１１１からの出力を停止する。このとき、平面蛍光ランプ１１３も外部人感センサ１０３の検知に基づき、ディスプレイ１０８と同期して点灯／消灯させてもよい。
【００６９】
ここで、例えば陳列室１３の温度の異常（異常高温／低温）や、圧縮機６３、送風機１９、６９の異常（モータロック等）が生じた場合、マイクロコンピュータ１００は係る人体の接近に関わらずＤＶＤドライバ１０１により再生を開始すると共に、ディスプレイ１０８の表示色を全体的に通常とは異なる色とする。これにより、顧客には分からない状態で使用者は上記の如き異常がオープンショーケース１に発生していることを一目で確認できるようになる。
【００７０】
この状態で、使用者がディスプレイ１０８の所定の表示ボタン（顧客が通常触れない箇所に設定）を触れると、マイクロコンピュータ１００はタッチスイッチ１０６にてそれを検知してディスプレイ１０８に異常内容を表示する。これにより、使用者が迅速に修理を行うことが可能となる。
【００７１】
尚、上記実施例で示した寸法などの各数値は、それに限られるものでは無く、コンビニエンスストアのレジカウンタなどの卓上に設置するのに好適な範囲で種々変更可能である。また、実施例では断熱壁４の下側に機械室１４を構成し、そこに冷却装置Ｒの圧縮機６３などを設置したが、これら圧縮機や凝縮器を別置き式としてオープンショーケース内の冷却器１８と冷媒配管で連結し、圧縮機などはレジカウンタ内に設置する方式としても良い。
【００７２】
また、実施例ではＤＶＤドライバによりＤＶＤを再生することでディスプレイに動画を表示したが、それに限らず、ＣＤや通常のＶＴＲ、ＨＤＤやメモリ、ＣＤ−ＲＯＭのドライバを用いて動画と音声を再生してもよい。更に、実施例ではＤＶＤドライバをオープンショーケース１に内蔵させたが、それに限らず、有線或いは無線によって動画・音声情報をオープンショーケースに外部から送信し、ディスプレイとスピーカから出力させてもよい。また、実施例で示した表示情報はそれに限られるものでは無く、本発明の趣旨を逸脱しない範囲で適宜出力可能であることは云うまでもない。
【００７３】
また、動画には静止画も含まれることは云うまでもないが、ディスプレイ１０８には少なくとも動画を表示可能であることが本発明では必須である。そして、ショーケースとしては実施例のオープンショーケースに限らず、ガラス扉を備えた所謂リーチインショーケースや平型のショーケースなどにも本発明は有効である。
【００７４】
【発明の効果】
以上詳述した如く本発明によれば、陳列室内に商品を陳列して成るショーケースにおいて、少なくとも動画を表示可能な表示手段と、音声を出力可能な音声発生手段とを設け、表示手段と音声発生手段により、動画と音声による情報出力を行うようにしたので、表示手段と音声発生手段を用いて、動画と音声により顧客に情報を出力することが可能となる。これにより、顧客の関心をより強く喚起し、陳列商品をアピールして売上向上を図ることができるようになるものである。
【００７５】
特に、陳列室内における人体動作を検出する人感センサにより、陳列室内における商品の移動に反応して情報出力を行うようにしたので、例えば顧客が陳列室から商品を取り出したことに反応して動画と音声により感謝の意を出力するなどの対応を行うことが可能となるものである。
【００７６】
請求項２の発明によれば、上記に加えて周囲の人体動作を検出する人感センサを備え、顧客の接近に反応して情報出力を行うので、顧客がショーケースに近づいたことに反応して動画と音声による情報出力を行えるようになり、無駄の無い出力動作を実現できるようになるものである。
【００７７】
請求項３の発明によれば、上記各発明に加えて情報出力の内容には、商品の広告、価格、料理或いは取扱方法等の商品に関する情報を含むので、商品の宣伝効果並びに顧客の購買意欲をより一層向上させることが可能となるものである。
【００７８】
請求項４の発明によれば、上記各発明に加えて情報出力の内容には、陳列室内の温度や設定値などの制御に関する情報を含むので、別途温度計なども不要となり、使用者の利便性とコストの削減も図れるようになるものである。
【００７９】
請求項５の発明によれば、上記各発明に加えて情報出力の内容には所定の異常に関する情報を含むので、ショーケースに発生した異常をいち早く使用者に報知することが可能となると共に、格別な警報装置も不要となる。この場合、当該異常に関する情報は使用者にのみ判別可能な態様で出力するので、顧客に無用な不安感を与える危険性も無くなるものである。
【００８０】
請求項６の発明によれば、上記各発明に加えて表示手段は表示領域にタッチスイッチを備え、当該タッチスイッチへの入力操作に応じて表示内容を切り替えるようにしたので、顧客や使用者のタッチスイッチへの入力操作にて前述の如き商品に関する情報や制御に関する情報内容を切り替えて表示させることができるようになり、出力可能な情報量の増大を図り、より一層の売上向上と利便性の改善を図ることが可能となるものである。
【図面の簡単な説明】
【図１】  本発明のショーケースの実施例としてのオープンショーケースの正面図である。
【図２】  図１のオープンショーケースの側面図である。
【図３】  図１のオープンショーケースの背面図である。
【図４】  図１のオープンショーケースの後パネルを除く背面図である。
【図５】  図１のオープンショーケースの縦断側面図である。
【図６】  図１のオープンショーケースの断熱壁前部の拡大縦断側面図である。
【図７】  図１のオープンショーケースの断熱壁後部の拡大縦断側面図である。
【図８】  図１のオープンショーケースの天板後部の拡大縦断側面図である。
【図９】  図１のオープンショーケースの機械室部分の平断面図である。
【図１０】  図１のオープンショーケースの向かって右側の側板の側面図である。
【図１１】  図１０の側板の側面図である。
【図１２】  図１のオープンショーケースの向かって左側の側板の側面図である。
【図１３】  図１０の側板の正面図である。
【図１４】  図１０の側板の平断面図である。
【図１５】  図１のオープンショーケースをレジカウンタ上に設置した状態の側面図である。
【図１６】  図１のオープンショーケースの電気回路のブロック図である。
【符号の説明】
１  オープンショーケース（ショーケース）
３  ユニットベース
４  断熱壁
６  底板
６Ａ  低位部
６Ｂ  高位部
７  側板
８  天板
９、１２  開口
１１  扉
１３  陳列室
１４  機械室
１７  冷却室
１８  冷却器
１９  送風機
２２  下部吐出口
２９  吸込口
３１  表示装置
４１  後部ダクト
５１  天部ダクト
６１  吸込口
９１  棚
１００  マイクロコンピュータ
１０１  ＤＶＤドライバ
１０２  温度センサ
１０３  外部人感センサ
１０４  内部人感センサ
１０６  タッチスイッチ
１０８  ディスプレイ（表示手段）
１１１  スピーカ（音声発生手段）
Ｃ  レジカウンタ
【図１】
0004169472.tif 000002
【図２】
0004169472.tif 000003
【図３】
0004169472.tif 000004
【図４】
0004169472.tif 000005
【図５】
0004169472.tif 000006
【図６】
0004169472.tif 000007
【図７】
0004169472.tif 000008
【図８】
0004169472.tif 000009
【図９】
0004169472.tif 000010
【図１０】
0004169472.tif 000011
【図１１】
0004169472.tif 000012
【図１２】
0004169472.tif 000013
【図１３】
0004169472.tif 000014
【図１４】
0004169472.tif 000015
【図１５】
0004169472.tif 000016
【図１６】
0004169472.tif 000017